(57)【要約】      （修正有）【課題】人間が通常左右二つの目で視点を見たときに起こりうる弱視力の視差を起こらないようにさせるために、眼力を活動させることで視点が一致し、焦点となる部分へ注意力が集中するために思考力や判断力を継続的に注ぎ込むことができる、平行法の裸眼立体視ステレオグラムを特徴とした３Ｄキャップを提供する。【解決手段】野球帽や鍔付きキャップの鍔先の内側に、上目使いした時に見えるよう設けた左右二つの同じ大きさ形の色柄画像シールを付けたものを特徴として裸眼立体視３Ｄキャップを形成する。【選択図】図２
0003163655.tif 000002
【実用新案登録請求の範囲】
【請求項１】
透明シートに貼り付けられた、青、赤、黄色、みどり色柄模様のシールは、平行法の裸眼立体視３Ｄステレオグラムとしての３Ｄシートを特徴とする裸眼立体視３Ｄステレオグラム。
【請求項２】
野球帽やキャップの鍔の裏側に貼り付けた、青、赤、黄色、みどり色柄模様のシール入りキャップ帽子、及び、前記の、青、赤、黄色、みどり色柄模様のシールと同じ形で印刷された色柄模様入り帽子の鍔の裏側に、上目使いした時に見える鍔先部分の場所に、青、赤、黄色、みどり色柄模様のシールを貼り付けられた鍔付きキャップ帽子、青、赤、黄色、みどり色柄模様のプリントされた鍔付きキャップ帽子を特徴とする裸眼立体視３Ｄステレオグラム。
【請求項３】
ゴーグルの内側に貼り付けられた、青、赤、黄色、みどり色柄模様のシールが視野や視角の邪魔にならない場所に、上目使いした時にしか見えない場所へ貼り付けられた、青、赤、黄色、みどり色柄模様のシール入りの平行法の裸眼立体視３Ｄステレオグラム３Ｄゴーグルを特徴とする裸眼立体視３Ｄステレオグラム。
【考案の詳細な説明】
【技術分野】
【０００１】
本考案は、平行法の裸眼立体視３Ｄステレオグラムに関するものである。
【背景技術】
【０００２】
人間は通常、左右二つの目でものを見ますが、生活習慣の違いなどで目の見る位置の差による見方が、見る風景は微妙に異なった角度から見ている実情があります。そのような左右の異なった視差のために、各々の目では奥行きのある物の見方も微妙に異なります。
【０００３】
人間が病的以外で、身体の疲れや精神的安定を欠く事態に遭遇すると視差が異なりはじめ、視野も極端に狭くなり、危うい状態になる可能性が発生しがちです。ここ数年、急増している自殺者が交通事故死を上回る事態にまで来ている悲しい実態があります。そこには様々な要因があるのは確かだが、目標の先の見えない背景の要因として、物をハッキリ識別できないという視力の機能低下から事態が引き起こされているように感じます。
【０００４】
また、弱視についても、高性能の眼鏡が開発されている中で、学童近視や乱視の矯正も図られつつあるが、低学年の子供たちの視力が０，３以下に急増していると言われます。この様な緊急事態について統計を取りだした時代よりも甚だしく悪化してきている国内事情があります。
【先行技術文献】
【特許文献】
【０００５】
以前の視力回復アドバイスブックには、学童近視は一種の癖であると述べていて、勤勉に励む子供ほど学童近視になりやすく、そのためにメガネをかける子供が増え続け、その対策として昔から近視の予防は山の緑や遠くの景色を観たり、夜空の星を見たりする訓練法が知られているが、いったん近視の癖が身に付くとなかなか正常視力に戻るのは難しいと述べている。
【考案の概要】
【考案が解決しようとする課題】
【０００６】
平行法の裸眼立体視３Ｄステレオグラムの画像を始めから見える人は数すくない。しかし、平行法の裸眼立体視３Ｄステレオグラムを一度習得すると比較的簡単に見える画像である。
【０００７】
平行法の裸眼立体視３Ｄステレオグラムが見えるために、視野を広げるには両眼の視差を極力少なくしなければならないが、そのためには左右の視線の先の視点が寄るようにしなければならない。
【考案の効果】
【０００８】
平行法の裸眼立体視３Ｄステレオグラムを見るための透明シートを透かし見するようになると、近視点より格段の幅広い視野が保てるように成って、遠近視力の切り替えを自分で確認できるようになり、正確なマルチパターン側光で見る場面を十分に認識でき、３Ｄステレオグラムが集中力を高めさせ、維持させながら物事に取り組められるので大きなメリットがある。
【０００９】
平行法の裸眼立体視３Ｄステレオグラムの３Ｄ透明シート、鍔付き帽子の３Ｄキャップ、３Ｄゴーグルなどに視線を誘導させて、視点を一致させることで生じていた視差の狂いも改善して、大きな目でステレオグラムの全体像を把握できるようになると視野は大きく広がり、周りのものがマルチパターン側光で見る様に分割させながら視線を正確に確認できるため、子供たちのスポーツ活動や大人の方々の思考力も活発に働き出し高齢者のマンネリ生活の改善など人間そのものを躍動させられる可能性が十分あることに気付いた。
【００１０】
視力は身体の主要な部分でありますから、身体の機能低下を及ぼす弱視力の背景の原因などから起こる高齢運転者による交通事故多発も抑制させる意図を、平行法の裸眼立体視３Ｄステレオグラム帽子をキャップとして着用することで見る物が立体的にハッキリと見えるように目が養われるようになるので緊張していたストレスも避け、リラックスしながらゆとりの安全運転に心がけられる。
【００１１】
平行法の裸眼立体視３Ｄ透明シート及び、３Ｄ帽子のキャップや３Ｄゴーグルなどに貼り付けられた青、赤、黄色、みどり色柄模様のシールで３Ｄステレオグラムを認識しながら使用していくなら学童近視を健康な視力へ改善させられ、さらに、己々の生き方にも変化が表われて勤勉な勇志たちの努力で日本の発展に寄与できることを大いに望みたい。
【図面の簡単な説明】
【００１２】
【図１】図１は、平行法の裸眼立体視３Ｄステレオグラム用の透明シートに単色のシールを貼り付けたものを示した説明図です。塗りつぶされた二つの単色は外形２０ミリで丸と丸との間隔は人の瞳孔間隔より約１０ミリ程度狭い長さで完成させます。そのように設計することで、初めての人も平行法の裸眼立体視３Ｄステレオグラムを短期間で画像認識できます。さらに訓練を積み重ねて行くことで３Ｄステレオグラムが固定された状態を維持できるようになる。
【００１３】
平行法の裸眼立体視３Ｄステレオグラム用の透明シートで、シート全体像から平行法の透明シートに貼り付けられた、青、赤、黄色、みどり色柄模様のシールで３Ｄを認識するための訓練方法となるように工作した。
【００１４】
【図２】図２は、平行法の裸眼立体視３Ｄステレオグラムを認識するための鍔付き帽子を示した説明図であり、図の２の１は裸眼視で上目使いした時に見る帽子の鍔先部分の鍔の裏側の前面場所に、青、赤、黄色、みどり色柄模様のシールを張り付けたも、プリント印刷されたものを平面図で説明し、図面２の２は平面図のキャップ図形である。
【００１５】
頭に密着する部分から外に向かって広がるキャップの日差し除けとなる部分に貼り付けられたシール、又は、プリント印刷された同類の形をしたキャップのつばの裏側に真ん中より前部分にシールは固定してある。
【００１６】
固定された３Ｄシールは、平行法の裸眼立体視３Ｄステレオグラムとして視力を養い、使用して行くことで目的の的を徹確に射る役割の照準器に値する働きがあり、自動車を運転するときには、視差が起こりにくくなり安全運転を維持させ、身体も疲れにくい作用をもたらす。
【００１７】
【図３】図３は、平行法の裸眼立体視３Ｄステレオグラム３Ｄゴーグルを示した説明図であり、ゴーグルの内側の最上部に、上目使いした時だけで視線に入るような場所に、青、赤、黄色、みどり色柄模様のシールを貼り付けた３Ｄゴーグルで、視野と視角の邪魔にならない大きさの形状で完成された平行法の裸眼立体視３Ｄゴーグルの図形を示した。
【００１８】
ゴーグルに貼り付けられた３Ｄシールは、平行法の裸眼立体視３Ｄステレオグラムとして目に入った画像の様子は、二個の単色丸色が重なり合って、眉間の間に一つだけ映し出される現象となるので、図形で説明することは難しいが、この平行法の裸眼立体視３Ｄステレオグラム３Ｄゴーグルを図形で示しました。
【００１９】
図１、図２、図３は、下記のGIF方式で説明した。
【符号の説明】
【００２０】
図１
１  透明シートの平面図、横１０５ミリ、縦７５ミリ
２  平行法の裸眼立体視３Ｄステレオグラムシールであり、単色塗りつぶしの直径は２０ミリ
３  シールの間隔幅３０ミリ
図２
１  鍔の内側
２  平行法の裸眼立体視３Ｄステレオグラムシールであり、単色塗りつぶしの直径は２０ミリ
３  鍔付き帽子の裏側
４  図面２の１
５  鍔の表側平面図
６  鍔付き帽子の表側平面図
７  図面２の２
図３
１  ゴーグルを内側から見た平面図
２  平行法の裸眼立体視３Ｄステレオグラムシールであり、単色塗りつぶしの直径は２０ミリ
３  ゴーグルを固定するベルト
【図１】
0003163655.tif 000003
【図２】
0003163655.tif 000004
【図３】
0003163655.tif 000005
【手続補正書】
【提出日】平成22年8月11日(2010.8.11)
【手続補正１】
【補正対象書類名】実用新案登録請求の範囲
【補正対象項目名】全文
【補正方法】変更
【補正の内容】
【実用新案登録請求の範囲】
【請求項１】
野球帽や鍔付きキャップの鍔先の内側に、上目使いした時に見えるよう設けた左右二つの同じ大きさ形の色柄画像シールを付けたものを特徴とする裸眼立体視３Ｄキャップ。